(57)【要約】【課題】ネットワーク等の知識を必要とすることなく自身のネットワーク設定を簡単に行うことができるネットワークカメラを提供することを目的とする。【解決手段】  ネットワークカメラが起動もしくはネットワークスイッチ６が切り替えられると、ＣＰＵ３はネットワークスイッチ６が「default」「manual」「auto」のいずれの位置を指しているかを読み取り、それぞれに応じたＩＰアドレス／サブネットマスク情報を取得し通信を開始する。撮像部１は監視対象を撮像して画像データを取得し、圧縮部２により所定の圧縮方式で圧縮し、通信部５から設定されたＩＰアドレス／サブネットマスクを用いてネットワークへ出力する。【選択図】図３
2011217023.tif 000002
【特許請求の範囲】
【請求項１】
所定の空間を撮像して画像信号を取得する撮像手段と、所定の圧縮方式で前記画像信号を圧縮する圧縮手段と、ネットワークを介して他の機器と情報の通信を行うネットワーク通信手段と、複数のネットワーク設定情報を記憶するメモリと、ネットワーク設定を切り替えるネットワーク設定切り替え手段と、を備えることを特徴とするネットワークカメラ。
【請求項２】
前記ネットワーク設定情報は、予め設定されたdefault設定値とユーザにより設定されるmanual設定値であり、さらに、所定の操作により、前記ネットワークを介してauto設定値を取得することを特徴とする請求項１のネットワークカメラ。
【発明の詳細な説明】
【技術分野】
【０００１】
本発明は、監視画像等の情報をＩＰ（Internet Protocol）ネットワークを介して伝送する画像監視システムにおける、自身のネットワーク設定を所望の設定に切り替えることができるネットワークカメラに関する。
【背景技術】
【０００２】
画像監視システムは、ホテルやビル、コンビニエンスストア金融機関、ダムまたは道路等といった様々な公共施設等において、犯罪抑止や事故防止等の目的で設置されている。従来の一般的な画像監視システムでは、カメラ等で監視対象エリアを撮像し、撮像された画像を管理事務所や警備室等の監視センタに伝送し、監視者が、伝送されてくる画像により監視対象を監視し、目的や必要に応じて注意や警告をしたり、画像を記録・保存したりするものであった。
【０００３】
近年、監視カメラの画像をデジタル化し、インターネットに代表されるネットワークを介して、画像を伝送し監視を行うネットワーク型の画像監視形態が普及してきている。
【０００４】
このネットワーク型画像監視システムにネットワークカメラを接続するには、ネットワークカメラのＩＰアドレスをそのネットワークに合わせて設定する必要がある。一般的に、ネットワーク機器のＩＰアドレスを設定するには、パーソナルコンピュータ等のクライアント端末やワークステーションをケーブルによりネットワーク機器に接続し、ネットワーク経由で設定を行っている。具体的な手順としては、クライアント端末を起動してネットワーク機器のアドレスを調べ、クライアント端末のネットワークグループをネットワーク機器のネットワークグループに合わせる様に設定する。そして、ネットワーク機器の設定ページにアクセスしてＩＰアドレスを設定する。このようにＩＰアドレスの設定には、ネットワークやＯＳ（Operation System）等の知識を必要とする。
【０００５】
なお、従来技術として、ネットワーク集線装置（ＨＵＢ）にスイッチを設け、このスイッチによりＩＰアドレスを設定する手法が提供されている（特許文献１を参照）
【先行技術文献】
【特許文献】
【０００６】
【特許文献１】特開平８−２５１２１７号公報
【発明の概要】
【発明が解決しようとする課題】
【０００７】
上述した様に、ネットワーク型画像監視システムにおけるネットワークカメラ等のネットワーク機器のネットワーク設定には、ネットワークやＯＳ等に関する知識を必要とする。このため、ユーザ自身で簡単に設定できない場合も多く、サポートセンターに問い合わせたり、専門の業者を呼び寄せたりしなければならず手間と時間がかかっていた。
【０００８】
本発明はこのような問題を鑑みてなされたもので、ネットワーク等の知識を必要とすることなく自身のネットワーク設定を簡単に行うことができるネットワークカメラを提供することを目的とする。
【課題を解決するための手段】
【０００９】
本発明のネットワークカメラは、所定の空間を撮像して画像信号を取得する撮像手段と、所定の圧縮方式で前記画像信号を圧縮する圧縮手段と、ネットワークを介して他の機器と情報の通信を行うネットワーク通信手段と、複数のネットワーク設定情報を記憶するメモリと、ネットワーク設定を切り替えるネットワーク設定切り替え手段と、を備えることを特徴とする。
【００１０】
また、上記ネットワークカメラは、前記ネットワーク設定情報は、予め設定されたdefault設定値とユーザにより設定されるmanual設定値であり、さらに、所定の操作により、前記ネットワークを介してauto設定値を取得することを特徴とする。
【発明の効果】
【００１１】
したがって本発明によれば、ネットワーク等の知識を必要とすることなく自身のネットワーク設定を簡単に行うことができるネットワークカメラを提供することができる。
【図面の簡単な説明】
【００１２】
【図１】ネットワーク画像監視システムの全体構成の一例を示すブロック図である。
【図２】本発明の一実施例のネットワーク設定スイッチを示す図である。
【図３】本発明の一実施例のネットワークカメラの構成を示すブロック図である。
【図４】本発明の一実施例のネットワークカメラのネットワーク設定の様子を示すフローチャート図である。
【発明を実施するための形態】
【００１３】
以下、図面を参照して本発明の実施形態について詳細に説明する。  
図１は、本発明に係る第１の実施形態のネットワーク型画像監視システムの構成の一例を示すブロック図である。
本システムは、ネットワークカメラ１０１，２０１とクライアント端末１０２，３０２、ＤＨＣＰ（Dynamic Host Configuration Protocol）サーバ３０３とから構成され、ネットワークカメラ１０１とクライアント端末１０２がサブネット１００に属し、ネットワークカメラ２０１がサブネット２００に属し、クライアント端末３０２とＤＨＣＰサーバ３０３がサブネット３００に属している。ＤＨＣＰ機能は、近年では、例えばＯＳ内やルータ内に実装されていることが多い。
【００１４】
前述した様に、ネットワークカメラのネットワーク情報、特にＩＰアドレス／サブネットマスクを設定するには、クライアント端末のネットワークグループをネットワークカメラのネットワークグループに合わせてから、ネットワークカメラの設定ページにアクセスして設定する必要がある。
【００１５】
ネットワークカメラ１０１のＩＰアドレス／サブネットをクライアント端末１０２から設定変更することは、互いに同一のサブネット１００内にあるため、クライアント端末１０２からネットワークカメラ１０１にアクセスすることで可能である。
【００１６】
しかし、ネットワークカメラ２０１のＩＰアドレス／サブネットマスクをクライアント端末１０２から変更するには、それぞれが異なるサブネットに属しているため、クライアント端末１０２のＩＰアドレス／サブネットマスクをサブネット２００に属する様に変更し、ネットワークカメラ２０１にアクセスしてＩＰアドレス／サブネットマスクを変更し、クライアント端末のネットワーク設定をサブネット１００に属する様に戻す必要がある。
【００１７】
このとき、ネットワークカメラ２０１のネットワーク設定が不明であれば、クライアント端末１０２からはアクセスすることができず、ネットワークカメラ２０１に設けられている初期化機能を用いてネットワーク設定を初期化し、クライアント端末１０２から設定を行うが、ネットワークカメラ２０１の他の設定も初期化されてしまう。
【００１８】
このため、クライアント端末側からネットワークカメラ側にアクセスして設定変更しなくとも、ネットワークカメラ自身でネットワーク設定を変更できることが望まれていた。
【００１９】
そこで、本発明では、ネットワークカメラ本体に例えば図２に示す様なネットワーク設定スイッチを設ける。このネットワーク設定スイッチ６を設けたネットワークカメラの構成を図３に示す。
１は監視対象を撮像して監視画像を取得する撮像部、２は撮像部１にて取得した画像データをMPEG-4（Moving Picture Experts Group
phase 4）やMJPEG（Motion Joint Photographic
Experts Group）等の規格を用いて圧縮する圧縮部、３はネットワークカメラ内を制御するＣＰＵ（Central Processing Unit）、４はネットワークカメラのＩＰアドレス／サブネットマスク等のネットワーク設定情報等を記憶するメモリ、５は外部ネットワークとの信号のやり取りを行う通信部、６はネットワーク設定を切り替えるネットワーク設定スイッチである。
【００２０】
ネットワークカメラが起動もしくはネットワークスイッチ６が切り替えられると、ＣＰＵ３はネットワークスイッチ６が「default」「manual」「auto」のいずれの位置を指しているかを読み取り、それぞれに応じたＩＰアドレス／サブネットマスク情報を取得し通信を開始する。撮像部１は監視対象を撮像して画像データを取得し、圧縮部２により所定の圧縮方式で圧縮し、通信部５から設定されたＩＰアドレス／サブネットマスクを用いてネットワークへ出力する。
【００２１】
ネットワークスイッチ６のネットワーク設定値である「default」「manual」「auto」について説明する。
「default」は、工場出荷時等に予め初期値として固定的に設定された設定条件であり、ネットワークカメラのＩＰアドレス／サブネットマスク等が不明となってしまった場合等に用いることで、ネットワークカメラの全設定を初期化することなくクライアント端末等からアクセスすることが可能となる。
【００２２】
「manual」は、ユーザにより任意の値に手動で設定される設定条件であり、状況に適したユーザの所望するＩＰアドレス／サブネットマスクを設定することが可能となる。この設定情報は、ユーザにより予め定めておくことも、後に変更することも可能である。また、この値を複数記憶しておき、選択的に設定する様にしても良い。また、「default」または「auto」時にＩＰアドレス／サブネットマスクが変更された場合、その後「manual」に切り換えられたときにそのＩＰアドレス／サブネットマスクを有効とする様にしても良い。
【００２３】
「auto」は、ＤＨＣＰサーバより自動で付与される設定条件であり、ＤＨＣＰ等によりＩＰアドレス／サブネットマスク設定が自動化された環境に接続する場合にユーザによる詳細な設定情報の変更が不要となる。
【００２４】
ＩＰアドレスは、ホストを指定するホストアドレス部と、ホストが所属するネットワークを指定するネットワークアドレス部で構成される。ここでは、ＩＰアドレス／サブネットマスク（ＣＩＤＥＲ表記で記載する）は、例えば「１９２．１６８．ｙｙｙ．ｘｘｘ／２４」を使用し、「１９２．１６８．ｙｙｙ」がネットワークアドレス部、「ｘｘｘ」がホストアドレス部となる。
【００２５】
そして、サブネット１００は「１９２．１６８．１．０／２４」のネットワークグループとし、サブネット２００は「１９２．１６８．２．０／２４」のネットワークグループとし、サブネット３００は「１９２．１６８．３．０／２４」のネットワークグループとすることができる。
【００２６】
そして、サブネット１００に属するネットワークカメラ１０１のＩＰアドレス／サブネットマスクを「１９２．１６８．１．１／２４」、クライアント端末１０２のＩＰアドレス／サブネットマスクを「１９２．１６８．１．２／２４」とし、サブネット２００に属するネットワークカメラ２０１のＩＰアドレス／サブネットマスクを「１９２．１６８．２．１／２４」とし、サブネット１００に属するクライアント端末３０２のＩＰアドレス／サブネットマスクを「１９２．１６８．３．１／２４」、ＤＨＣＰサーバのＩＰアドレス／サブネットマスクを「１９２．１６８．３．２／２４」することができる。
【００２７】
図４を用いてネットワーク設定処理の流れを説明する。
ユーザによりネットワークカメラが起動されると（Ｓ１０１）、ＣＰＵ３はネットワーク設定スイッチ６の指し示す値を読み出す（Ｓ１０２）。
値が「default」であった場合（Ｓ１０３）、ＣＰＵ３は「default」のＩＰアドレス／サブネットマスク情報をメモリ４より読み出して（Ｓ１０４）、通信部５に設定する（Ｓ１１２）。
値が「manual」であった場合（Ｓ１０６）、ＣＰＵ３は「manual」のＩＰアドレス／サブネットマスク情報を読み出して（Ｓ１０５）、通信部５に設定する（Ｓ１１２）。
値が「auto」であった場合、ＣＰＵ３は通信部５を介してＤＨＣＰサーバを検索するためのＤＩＳＣＯＶＥＲパケットをブロードキャストアドレスで送信し（Ｓ１０７）、ＤＨＣＰサーバからＩＰアドレス／サブネットマスク情報を含むＯＦＦＥＲパケットを受信したか否かでＤＨＣＰサーバの検出を行う（Ｓ１０８）。ＤＨＣＰサーバを検出できたら、ＣＰＵ３は通信部５を介して当該ＩＰアドレス／サブネットマスクの使用許可を受けるためのＲＥＱＵＥＳＴパケットをブロードキャストアドレスで送信し（Ｓ１０９）、ＤＨＣＰサーバから許可する旨のＰＡＣＫパケットを受信したか許可しない旨のＰＮＡＣパケットを受信したかで設定可否の判断を行う（Ｓ１１０）。ＰＡＣＫパケットを受信したら、当該ＩＰアドレス／サブネットマスクを通信部５に設定する（Ｓ１１２）。ＰＮＡＣパケットを受信したら、ＰＮＡＣパケット受信回数が所定回数連続しているか否かを判断する（Ｓ１１１）。ＰＮＡＣパケットの受信回数が所定回数未満である場合、ＣＰＵ３は通信部５を介して再度ＤＨＣＰサーバを検索するためのＤＩＳＣＯＶＥＲパケットをブロードキャストアドレスで送信する（Ｓ１０７）。ＰＮＡＣパケットの受信回数が所定回数に達していた場合、ＩＰアドレス／サブネットマスクの自動取得を断念し、「manual」のＩＰアドレス／サブネットマスクを読み出して（Ｓ１０５）、通信部５に設定する（Ｓ１１２）。こうして設定したＩＰアドレス／サブネットマスクに従って、ネットワークカメラはネットワークを介して他の機器と通信を行う。
【００２８】
以上に説明した様に、本発明によれば、ネットワーク等の知識を必要とすることなくユーザによるスイッチの切り換えのみによって自身のネットワーク設定を簡単に行うことができるネットワークカメラを提供することができる。
【００２９】
なお、本発明は上記各実施形態に限定されるものではない。例えば、上記実施形態では、ネットワーク設定スイッチ６に、つまみを回動させメモリ部分につまみを保持させることにより設定値を変更するタイプのスイッチを用いているが、この他にもロータリスイッチや各種スイッチ、設定用部品等で構成することもできる。
【００３０】
また、上記ネットワーク設定動作をＷｅｂエンコーダ、Ｗｅｂデコーダ、多チャンネルエンコーダ、記録装置等の他のネットワーク機器に用いることももちろん可能であり、その構成及び動作の手順とその内容についても本発明の要旨を逸脱しない範囲で種々に変形して実施できる。
【００３１】
また、上記実施形態ではＩＰｖ４のＩＰアドレスを用いて説明したが、ＩＰｖ６にも適用可能であり、その際はサブネットマスクはなくても良い。
【００３２】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００３３】
１：撮像部、２：圧縮部、３：ＣＰＵ、４：メモリ、５：通信部、６：ネットワーク設定スイッチ、１００，２００，３００：サブネット、１０１，２０１：ネットワークカメラ、１０２，３０２：クライアント端末、３０３：ＤＨＣＰサーバ。
【図１】
2011217023.tif 000003
【図２】
2011217023.tif 000004
【図３】
2011217023.tif 000005
【図４】
2011217023.tif 000006